(57)【特許請求の範囲】
【請求項１】
扉の一方側から他方側への液体の漏出を試験する扉用試験装置であって、
前記扉に水圧を作用させるために液体が注入される受水槽であって、前記扉が、その一方側が前記受水槽の内側に面するとともに他方側が前記受水槽の外側に面するように取り付けられた受水槽と、
前記扉から漏出する前記液体を受け入れ可能に設置された溢流水槽と、を有し、
前記受水槽の側方には、鉛直方向に沿って複数の排水弁が設けられており、
前記排水弁より液体が排水されることにより、液体の注入量を確認可能であることを特徴とする扉用試験装置。
【請求項２】
前記液体を貯留するための貯留水槽と、
前記貯留水槽から、前記受水槽へ液体を供給する揚水手段と、を有することを特徴とする請求項１に記載の扉用試験装置。
【請求項３】
前記排水弁の少なくとも一つは、回収管を介して前記貯留水槽と接続されており、前記受水槽に注入された液体を循環可能であることを特徴とする請求項２に記載の扉用試験装置。
【請求項４】
前記扉は、前記受水槽に着脱自在に取り付けられていることを特徴とする請求項１から請求項３のいずれか一項に記載の扉用試験装置。
【発明の詳細な説明】
【技術分野】
【０００１】
本発明は、扉用試験装置に係り、特に扉の一方側から他方側への液体の漏出を試験する扉用試験装置に関する。
【背景技術】
【０００２】
近年、例えば工場等の大型施設に設けられている設備搬入用の扉には、洪水などの災害時に水を施設内に流入させないための止水性が要求されている。
特許文献１には、防水扉の水密性を試験するために防水扉に臨んで試験水槽を形成するための水密試験用止水壁が記載されている。
【先行技術文献】
【特許文献】
【０００３】
【特許文献１】特開２００４−７７３０６号公報
【発明の概要】
【発明が解決しようとする課題】
【０００４】
ところで、防水扉とは異なり、搬入用の扉には完全な止水性よりも扉の開閉の容易性が優先されている。一方、災害時にはある程度の止水性も要求されるため、その性能を把握する必要がある。
しかしながら、例えば特許文献１に記載の水密試験用止水壁を用いた試験では、扉が完全な止水性を有しているか否かの判断は可能であるが、扉にかかる水圧に対してどれ程の止水性を有しているかを把握することが困難であった。
【０００５】
この発明は、このような事情を考慮してなされたもので、その目的は、試験体としての扉を取り付けることで、扉にかかる水圧に対する止水性を把握することを可能とする扉用試験装置を提供することにある。
【課題を解決するための手段】
【０００６】
上記課題を解決するために、この発明は以下の手段を提供している。
本発明の扉用試験装置は、扉の一方側から他方側への液体の漏出を試験する扉用試験装置であって、前記扉に水圧を作用させるために液体が注入される受水槽であって、前記扉が、その一方側が前記受水槽の内側に面するとともに他方側が前記受水槽の外側に面するように取り付けられた受水槽と、前記扉から漏出する前記液体を受け入れ可能に設置された溢流水槽と、を有し、前記受水槽の側方には、鉛直方向に沿って複数の排水弁が設けられており、前記排水弁より液体が排水されることにより、液体の注入量を確認可能であることを特徴とする。
【０００７】
上記構成によれば、受水槽に注入された液体の量と溢流水槽に溜められた液体の量の関係から、扉にかかる液体の圧力に対する扉の止水性を把握することができる。
【０００８】
上記扉用試験装置において、前記液体を貯留するための貯留水槽と、前記貯留水槽から、前記受水槽へ液体を供給する揚水手段と、を有することが好ましい。
【００１０】
上記扉用試験装置において、前記排水弁の少なくとも一つは、回収管を介して前記貯留水槽と接続されており、前記受水槽に注入された液体を循環可能であることが好ましい。
【００１１】
上記扉用試験装置において、前記扉は、前記受水槽に着脱自在に取り付けられていることが好ましい。
【発明の効果】
【００１２】
本発明によれば、受水槽に注入された液体の量と溢流水槽に溜められた液体の量の関係から、扉にかかる液体の圧力に対する止水性を把握することができる。
【図面の簡単な説明】
【００１３】
【図１】本発明の実施形態に係る扉用試験装置の斜視図である。
【図２】本発明の実施形態に係る扉用試験装置の側面図である。
【図３】本発明の実施形態に係る扉用試験装置の正面図である。
【発明を実施するための形態】
【００１４】
以下、本発明の実施形態について図面を参照して詳細に説明する。
図１、及び図２に示すように、本実施形態の扉用試験装置１は、両開きの扉２の試験装置であって、扉２の一方側（例えば施設外側）から他方側（施設内側）への水の漏出を試験する試験装置である。
【００１５】
扉用試験装置１は、扉２が取り付けられるとともに、水が注入される受水槽３と、受水槽３に隣接して配置される溢流水槽４と、受水槽３に注入する水を貯留するための貯留水槽５と、複数の揚水機６と、を有している。扉２は、その一方側が受水槽３の内側に面するとともに、他方側が受水槽３の外側に面するように受水槽３に取り付けられる。
【００１６】
図３に示すように、扉２は、例えば建物内に荷物を搬入するために建物の壁に設置される扉であり、一対の扉板７，８を備えた両開き戸（観音開き）である。扉２の扉板７，８は、複数のヒンジによって受水槽３の第一壁１３に回動可能に取り付けられている。
【００１７】
また、扉板７，８の互いに連結される中央側の対向部には、締りハンドル１０が設けられており扉２を閉じた状態で固定することができる。また、扉板７，８の上部、及び下部には複数の締りハンドル１１が設けられており、扉２の閉塞状態をより確実にしている。さらに、扉板７，８同士の間や、扉板７，８と受水槽３の第一壁１３との間には、長尺状のスポンジゴムなどのシール材が介在されている。
【００１８】
また、扉２は、着脱自在に受水槽３の第一壁１３に取り付けられている。即ち、扉は差し替え自由とされている。
なお、被試験体である扉に関しては、上述したような両開き戸に限らず、片開き戸や引き戸形式の扉を試験することも勿論可能である。また、扉に限らず、窓などの枠体の試験を行うことも可能である。
【００１９】
受水槽３は、上方が開口された直方体形状の水槽であり、扉２が取り付けられる第一壁１３と、第一壁と対向する第二壁１４と、第一壁１３と第二壁１４との間の第三壁１５、第四壁１６と、底面と、を有している。受水槽３は、例えばステンレス（ＳＵＳ）などの金属板によって形成されており、扉２を取り付ける開口部を除き、水密性が保たれるように形成されている。
また、扉２は、扉２の下端が受水槽３の底面と略同一の高さとなるように取り付けられる。
【００２０】
受水槽３の第三壁１５には、受水槽３内の水を排水するとともに、受水槽３に注入された水の水位を確認するための複数の確認用排水弁１７が設けられている。複数の確認用排水弁１７は、異なる複数の高さの位置に取り付けられている。
受水槽３は、その下端が溢流水槽４の上端よりも高くなるように設置されており、受水槽３の下方には架台３９が設置されている。
また、受水槽３には、受水槽３の一部を可視化するなどして水深を確認する手段を設けることもできる。
【００２１】
溢流水槽４は、上方が開口された直方体形状の水槽であり、開口部２４の上端が、受水槽３の底面及び扉２の下端と略同一の高さとなるように設置されている。溢流水槽４は、例えばステンレス（ＳＵＳ）などの金属板によって形成されており、その内部に水を貯留することが可能に形成されている。
【００２２】
さらに詳しくは、溢流水槽４の側板２７の上端は、受水槽３の第一壁１３の下端に例えば溶接により接合されており、受水槽３の内部から扉２を介して漏出する水を全て受け入れ可能とされている。
また、側壁の内側には目盛２５が取り付けられており、水深を測ることが可能となっている。また、貯留される水が少ないと予想される場合には、適宜、仕切板２６を追加することができる。
【００２３】
貯留水槽５は、上方が開口された水槽であり、受水槽３の側方に配置されている。貯留水槽５は、例えばステンレス（ＳＵＳ）などの金属板によって形成されており、その内部に水を貯留することが可能に形成されている。
貯留水槽５の内部には、水道などの給水設備より水が供給され、この水が複数の揚水機６により受水槽３に汲み上げられる。貯留水槽５は、その容量が、少なくとも受水槽３の容量より大きくなるように形成されている。
【００２４】
揚水機６は、一方が貯留水槽５の底部まで延在し、他方が受水槽３に受水槽３の開口部を介して水を供給可能なように受水槽３の上方に突出するように形成された揚水管２９と、この揚水管２９の一方の端部に取り付けられ、貯留水槽５に貯留された水を揚水管２９を介して汲み上げるための揚水ポンプ３０（水中ポンプ）とから構成されている。揚水機６は、複数設けられており、これにより、汲み上げる水の量が調整可能とされている。
なお、揚水機６は、単独で調整が可能であれば複数設ける必要はなく、一つのみの揚水機６を設ける構成としてもよい。
また、複数の確認用排水弁１７のうち、少なくとも一方の確認用排水弁１７から排水される水は、回収管３１を介して貯留水槽５に返されるようになっている。
【００２５】
また、扉用試験装置１には、扉２の変形を測定するために種々測定装置が設けることができる。
例えば、扉２には、扉２の膨れ（水平方向の変位）を計測する変位計を設けることができる。また、扉２には、扉２の扉板７，８のひずみを計測するための複数のひずみゲージを取り付けることができる。
【００２６】
次に、本実施形態の扉用試験装置１の作用について説明する。
まず、水道などの給水設備より、貯留水槽５に水が溜められる。溜められる水の量は、少なくとも、受水槽３に十分な水を供給できる量とする。
次いで、揚水機６を用いて、受水槽３に水を供給する。水は、受水槽３の底面より徐々に水位を増すように溜められていく。そして、水が確認用排水弁１７のある高さまで達すると、水は、確認用排水弁１７より排水され、作業者は、水がその高さまで達したことを確認することができる。作業者は、確認後、確認用排水弁１７を閉じて、排水を止めることができる。水深が増していくことで、順次、上方の確認用排水弁から水が排水される。
【００２７】
この間、扉２から漏出する水は、溢流水槽４に貯留される。作業者は、受水槽３の水深から推定される水圧と、扉２から漏出される水の漏出速度などから、扉２の止水性を評価することができる。
また、測定装置を設けた場合には、作業者は、扉２の表面のひずみや、膨らみ変形を把握することができる。
また、作業者は、別途カメラを所定箇所に設置して、受水槽３に水が溜められる様子や溢流水槽４に扉２から漏出した水が溜められる様子を撮影、記録することができる。
【００２８】
なお、本発明の技術範囲は上記の実施形態に限定されるものではなく、本発明の趣旨を逸脱しない範囲において、種々の変更を加えることが可能である。
例えば、扉用試験装置１を構成する３つの水槽は、ステンレスに限ることはなく、例えばＦＲＰ（繊維強化プラスチック）などで形成してもよい。
【符号の説明】
【００２９】
１  扉用試験装置
２  扉
３  受水槽
４  溢流水槽
５  貯留水槽
６  揚水機（揚水手段）
１７  確認用排水弁（排水弁）
３１  回収管
【図１】
0005957267.tif 000002
【図２】
0005957267.tif 000003
【図３】
0005957267.tif 000004